(57)【要約】【課題】レイアウト等に合わせて人工プランツの配列ライン形状を自在に変更することができる水槽用人工プランツ装飾品を提供する。【解決手段】本発明は、水槽内に設置される水槽用人工プランツ装飾品Ｐを対象とする。本装飾品Ｐは、棒状の基台１と、基台１に基台１の長さ方向に沿って並んで植え付けられる複数の人工プランツ２とを備える。基台１が、曲げ変形自在にかつ所望の変形状態に保持可能に構成されている。【選択図】図１
2018198573.tif 000002
【特許請求の範囲】
【請求項１】
水槽内に設置される水槽用人工プランツ装飾品であって、
棒状の基台と、
前記基台に基台の長さ方向に沿って並んで植え付けられる複数の人工プランツとを備え、
前記基台が、曲げ変形自在にかつ所望の変形状態に保持可能に構成されていることを特徴とする水槽用人工プランツ装飾品。
【請求項２】
装飾品単独で設置可能な自立型によって構成されている請求項１に記載の水槽用人工プランツ装飾品。
【発明の詳細な説明】
【技術分野】
【０００１】
この発明は、例えば室内のインテリア等として用いられる観賞用水槽の装飾用に用いられる水槽用人工プランツ装飾品に関する。
【背景技術】
【０００２】
近年、アクアリウム水槽やアクアテラリウム水槽等の観賞用水槽が室内のインテリアとして用いられることがある。このような観賞用水槽では、水槽内に擬岩、砂利等を敷設したり、多数の人工プランツ（人工植物）等を植え付けたりして、水槽内の限られた空間内において自然環境に類似した雰囲気を作り出すことによって、インテリア性および趣向性等を向上させるようにしている（特許文献１参照）。
【０００３】
このような人工プランツの装飾品においては、１〜数本程度の人工プランツを基台上に植え付けたものや、複数〜多数の人工プランツを基台上に植え付けたものが周知である。例えば複数の人工プランツが基台に植え付けられた装飾品は、人工プランツを複数備えているため、多数の水草が密集して生息するような生命感溢れる光景を簡単に作り出すことができ、人工プランツを多く必要とする場面では好んで使用される傾向にある。
【先行技術文献】
【特許文献】
【０００４】
【特許文献１】特開２０１４−１３６８４３号
【発明の概要】
【発明が解決しようとする課題】
【０００５】
しかしながら、複数の人工プランツを備えた上記従来の人工プランツ装飾品においては、各人工プランツにおける互いの位置関係が特定されているため、変化に乏しく、単調になり易く、汎用性に欠けるおそれがある。このため例えば、水槽内のレイアウトに合わせて、複数の人工プランツにおける配列ラインの形状等を大きく変更するようなことができず、水槽内に所望の光景を作り出すことが困難になり、十分なインテリア性および趣向性を確実に得ることができないという課題があった。
【０００６】
この発明は、上記の課題に鑑みてなされたものであり、複数の人工プランツを備える上さらに、水槽内のレイアウト等に合わせて人工プランツの配列ライン形状を自在に変更することができ、十分なインテリア性および趣向性を確実に得ることができる水槽用人工プランツ装飾品を提供することを目的とする。
【課題を解決するための手段】
【０００７】
上記課題を解決するため、本発明は、以下の手段を備えるものである。
【０００８】
［１］水槽内に設置される水槽用人工プランツ装飾品であって、
棒状の基台と、
前記基台に基台の長さ方向に沿って並んで植え付けられる複数の人工プランツとを備え、
前記基台が、曲げ変形自在にかつ所望の変形状態に保持可能に構成されていることを特徴とする水槽用人工プランツ装飾品。
【０００９】
［２］装飾品単独で設置可能な自立型によって構成されている請求項１に記載の水槽用人工プランツ装飾品。
【発明の効果】
【００１０】
発明［１］の水槽用人工プランツ装飾品によれば、棒状の基台が曲げ変形自在に、かつ所望の変形状態に保持可能に構成されるとともに、その基台に長さ方向に沿って複数の人工プランツが並んで植え付けられているため、基台を曲げ変形させることによって、水槽内のレイアウト等に合わせて人工プランツの配列ライン形状を自在に変更することができる。従って使用者は人工プランツを所望の形態に配置することができ、インテリア性および趣向性を向上させることができる。
【００１１】
発明［２］の水槽用人工プランツ装飾品によれば、単独で設置可能な自立型によって構成されているため、人工プランツを支える部材を別途準備したり、人工プランツを支えるために砂利等を多く盛り上げる等の面倒な作業が必要ではなく、水槽内に設置するだけで簡単に手間無く使用することができる。
【図面の簡単な説明】
【００１２】
【図１】図１はこの発明の実施形態である未変形状態の水槽用人工プランツ装飾品を示す斜視図である。
【図２】図２はＳ字状に変形された実施形態の水槽用人工プランツ装飾品を示す斜視図である。
【図３】図３はＵ字状に変形された実施形態の水槽用人工プランツ装飾品を示す斜視図である。
【図４】図４は実施形態の水槽用人工プランツ装飾品における端面図である。
【発明を実施するための形態】
【００１３】
図１はこの発明の実施形態である未変形状態（直線上に配置された状態）の水槽用人工プランツ装飾品を示す斜視図、図２はＳ字状に曲げ変形された状態の実施形態の人工プランツ装飾品を示す斜視図、図３はＵ字状に曲げ変形された状態の実施形態の人工プランツ装飾品を示す斜視図、図４は実施形態の人工プランツ装飾品における端面図である。
【００１４】
これらの図に示すように本実施形態の水槽用人工プランツ装飾品Ｐは、棒状の長尺な基台１と、基台１に植え付けられた人工プランツ（人工水草）２とを備えている。
【００１５】
基台１は、針金等の塑性変形可能な線状金属によって構成された心材と、その心材の全周を被覆し、かつ軟質合成樹脂や軟質合成ゴム等によって構成された被覆材とで構成されている。
【００１６】
基台１の心材は、１本の線状金属によって構成しても良いが、複数の線状金属を束ねて構成するようにしても良い。基台１は、塑性変形可能な心材の性質に基づいて長さ方向に対し直交する方向に折曲変形や屈曲変形を行えるように曲げ変形自在に構成されるとともに、曲げ変形した際にはその曲げ変形した状態に形状が保持されるように構成されている。つまり本実施形態において基台１は、曲げ変形自在に、かつ所望の変形状態に保持可能に構成されている。
【００１７】
基台１の被覆材における下面３を除いた表面は、多少の凹凸等が適宜形成されて、自然な岩肌や砂肌等を想起させるような形状に形成されている。
【００１８】
基台１はその断面の概略形状が、上底よりも下底が長い等脚台形に形成されており（図４の端面図参照）、基台１の下面３が広い平坦面に形成されて、水槽の底面等に安定した状態に配置できるように構成されている。
【００１９】
また基台１の下面（被覆材の下面）３は、高い密着性を有する面に構成されている。従って人工プランツ装飾品Ｐを水槽内に設置した際に基台１の下面３がその密着性によって水槽底面に密着することにより、基台１が水槽内に安定した状態に設置されるように構成されている。
【００２０】
人工プランツ２は、軟質合成樹脂や軟質合成ゴムの成形品等によって構成されている。本実施形態において人工プランツ２は、一株毎に複数束ねられるような形態に形成されており、束ねられた一株毎の人工プランツ２が、基台１の上面に基台長さ方向に沿って密な間隔で一列に並んで複数配置されるようにして植え付けられている。
【００２１】
本実施形態の人工プランツ装飾品Ｐは、既述したように基台１を安定した状態に設置できるように構成されており、例えば水槽底面等の設置面に設置した際には、人工プランツ装飾品Ｐは単独で設置状態に維持されるように構成されている。つまり本実施形態の人工プランツ装飾品Ｐは、単独で設置可能な自立型（自立式）に構成されている。
【００２２】
なお本実施形態の人工プランツ装飾品Ｐは、水中に限られず、水上であっても自立できるように構成されている。さらに本実施形態の人工プランツ装飾品Ｐにおいて、水中では自力でほぼ起立した姿勢に保持できるとともに、水流に伴って揺動できるように構成されている。
【００２３】
本実施形態の人工プランツ装飾品Ｐは既述した通り、水槽に設置されるが、この際例えば水槽内に砂利等を敷き詰めているような場合には必要に応じて、基台１の下部等の一部分のみを砂利で埋設した状態に配置したり、基台１のほぼ全域を砂利で埋設した状態に配置するようにすれば良い。
【００２４】
なお言うまでもなく、本実施形態の人工プランツ装飾品Ｐは砂利の上に載置しても良いし、砂利を設けずに水槽底面に設置するようにしても良い。さらに水槽内に配置された擬岩上や置物上等に載置するようにしても良い。要は使用者の好み等に合わせて水槽内の適当な位置に適当な状態で配置するようにすれば良い。
【００２５】
以上のように構成された本実施形態の人工プランツ装飾品Ｐは、曲げ変形自在に、かつ所望の変形状態に保持可能に構成された棒状の基台１に、基台長さ方向に沿って複数の人工プランツ２が並んで植え付けられているため、基台１を曲げ変形させることによって、水槽内のレイアウトに合わせて人工プランツ２の配列ライン形状（並べ方）を自在に変更することができる。
【００２６】
例えば水槽内にＳ字カーブを描くような疑似の岩壁等を形成したような場合、その疑似岩壁に沿うように、基台１をＳ字状に折り曲げて配置することにより（図２参照）、複数の人工プランツ２を疑似岩壁に沿って並べて配置することができる。さらに水槽内に設置した擬岩等の回りに沿うように、基台１をＵ字状に折り曲げて配置することにより（図３参照）、複数の人工プランツ２を擬岩の回りに沿って並べて配置することができる。また水槽内に形成した疑似の山肌等の起伏に沿うように、複数の人工プランツ２を並べて配置することもできる。
【００２７】
このように本実施形態の人工プランツ装飾品Ｐは、水槽内のレイアウト等に合わせて人工プランツ２の配列ライン形状を自在に変更することができるため、使用者は所望の形態で人工プランツ２を配置することができ、インテリア性および趣向性を向上させることができる。
【００２８】
また本実施形態の人工プランツ装飾品Ｐは、多数の人工プランツ２を備えるものであるため、多数のプランツ２が密集して生息するような生命感溢れる光景を簡単に作り出すことができる。なお言うまでもなく、本実施形態の人工プランツ装飾品Ｐは、１つの水槽に対し１つ設置するようにしても良いし、２つ以上設置するようにしても良い。
【００２９】
また本実施形態の人工プランツ装飾品Ｐは、単独で設置可能な自立型によって構成されているため、人工プランツを支える部材を別途準備したり、人工プランツを支えるために砂利を多く盛り上げる等の面倒な作業が必要ではなく、水槽内に設置するだけで簡単に手間無く使用することができる。
【００３０】
さらに本実施形態の人工プランツ装飾品Ｐは、基台１の下面３が密着性の高い平坦面によって構成されているため、例えば基台１を水槽底面に密着した状態に設置することができる。このため基台１が不用意に位置ずれするのを防止でき、人工プランツ装飾品Ｐを所定の位置に安定した状態に確実に配置することができる。もっとも本発明においては、吸盤や接着剤等の固定手段を用いて、人工プランツ装飾品Ｐを水槽内に固定するようにしても良い。
【００３１】
また本実施形態の人工プランツ装飾品Ｐは、一列に並べられた複数の人工プランツ２を備えるものであるため、前景草として好適に用いることができる。
【００３２】
さらに本実施形態の人工プランツ装飾品Ｐにおいては、人工プランツ２を基台１に沿って一列に並んで配置するようにしているため、基台１の幅を狭くすることができ、基台１を十分に曲げ変形することができる。このため基台１の曲げに対する自由度が増し、使用者はより一層簡単に基台１を曲げ変形することができ、使い勝手が良く、より一層商品価値を向上させることができる。もっとも本発明においては、人工プランツ２を基台１に沿って二列以上で並んで配置するようにしても良い。
【００３３】
なお上記実施形態においては、基台１に一種類の人工プランツ２が複数植え付けられる場合を例に挙げて説明しているが、それだけに限られず、本発明においては、種類の異なる複数種の人工プランツを基台に植え付けるようにしても良い。
【００３４】
また本発明においては、基台の長さは限定されるものではなく、どのような長さに設定しても良く、さらに基台の断面形状等も限定されるものではなく、どのような形状に形成しても良い。
【００３５】
さらに本発明においては、人工プランツ２の埋込数や背丈等も特に限定されるものではない。例えば背丈の異なる複数の人工プランツを適当に並べて植え付けるようにしても良い。
【００３６】
また言うまでもなく、本発明の水槽用人工プランツ装飾品Ｐは、図１に示すように基台１を曲げ変形させずに直線上に配置したままの状態で水槽内に設置するようにしても良い。
【産業上の利用可能性】
【００３７】
この発明の水槽用人工プランツ装飾品は、アクアリウム水槽やアクアテラリウム水槽等の観賞用水槽に用いることができる。
【符号の説明】
【００３８】
１：基台
２：人工プランツ
Ｐ：人工プランツ装飾品
【図１】
2018198573.tif 000003
【図２】
2018198573.tif 000004
【図３】
2018198573.tif 000005
【図４】
2018198573.tif 000006